(57)【要約】      （修正有）【課題】装着工具を容器蓋下方に強制する際に、延出片の外周面を囲繞して延出片が半径方向外側に変位するのを防止する拘束手段（弧状片）を提供する。【解決手段】延出片の他端内周面と円筒壁１８におけるスコア又はスリットの他側外周面とには、協働して円筒壁１８におけるスコア又はスリットの他側がスコア又はスリットから離隔する方向に変位するのを防止する係合手段が配設されている形態の容器蓋２を容器の口頸部４６に装着するための装着工具３８を改良して、容器蓋２を軸線方向下方に強制する際に延出片が半径方向外方に変位するのを確実に防止する。【選択図】図９−１
2015224055.tif 000002
【特許請求の範囲】
【請求項１】
中心軸線方向に延在する少なくとも１個のスコア又はスリットが形成されている円筒壁、及び該スコア又はスリットの片側において円筒壁の外周面に接続された片端から該円筒壁の外周面に沿って該スコア又はスリットの他側まで延出する延出片を具備し、該延出片の他端内周面と該円筒壁における該スコア又はスリットの該他側外周面とには、協働して該円筒壁における該スコア又はスリットの他側が該スコア又は該スリットから離隔する方向に変位するのを防止する係合手段が配設されている形態の容器蓋を、容器の口頸部に対して軸線方向下方に強制して該口頸部に装着する装着工具において、
該容器蓋を下方に強制する際に、該延出片の外周面を囲繞して該延出片が半径方向外側に変位するのを防止する拘束手段が配設されている、ことを特徴とする装着工具。
【請求項２】
該容器蓋は円形天面壁、該天面壁の周縁から垂下するスカート壁、及び周方向に間隔をおいて複数個配設され、該スカート壁の外周面乃至該天面壁の上面外周縁に接続された下端から該天面を超えて上方に延びる薄肉反転片を具備し、該円筒壁は該薄肉反転片の上端に接続されており、該口頸部に装着される際には、該薄肉反転片が反転されて該薄肉反転片を間に挟んで該円筒壁が該スカート壁の半径方向外側に位置せしめられ拘束壁として機能する形態であり、
該装着工具は、該天面壁の上面に押圧せしめられて該天面壁を軸線方向下方に強制する内側部材、及び該円筒壁の上端に押圧せしめられて該円筒壁を軸線方向下方に強制する外側部材を含み、該拘束手段は該外側部材から下方に延出する弧状片から構成され、該外側部材が該円筒壁の上端に当接せしめられると該弧状片の内周面が該延出片の外周面を囲繞する、請求項１記載の装着工具。
【発明の詳細な説明】
【技術分野】
【０００１】
本発明は、容器蓋を容器の口頸部に対して軸線方向下方に強制して口頸部に装着する装着工具に関する。
【背景技術】
【０００２】
当業者には周知の如く、所謂打栓式容器蓋として、容器の口頸部に被嵌し、次いで軸線方向下方に強制することによって口頸部に装着される容器蓋が実用に供されている。かような容器蓋には、充分容易に口頸部から離脱して口頸部を開封することができるようにせしめるために、天面壁の周縁から垂下するスカート壁を囲繞して拘束壁として機能し或いは天面壁の周縁から垂下するスカート壁自体として機能する円筒壁に、少なくとも１個のスコア又はスリットを配設することが少なくない。そして、かようなスコア又はスリットが配設されている容器蓋の場合、容器蓋を軸線方向下方に強制する際にスコアが破断され或いはスリットが拡張されるのを防止するために、スコア又はスリットの片側において円筒壁の外周面に接続された片端から円筒壁の外周面に沿ってスコア又はスリットの他側まで延出する延出片を付設し、延出片の他端内周面と円筒壁におけるスコア又はスリットの他側外周面とに、協働して円筒壁におけるスコア又はスリットの他側がスコア又はスリットから離隔する方向に変位するのを防止する係合手段を配設することが望ましい。
【発明の概要】
【発明が解決しようとする課題】
【０００３】
然るに、本発明者等の経験によれば、上記延出片を付設した形態の容器蓋においても、容器蓋を下方に強制する際に容器蓋に加えられる力によって延出片が半径方向外方に変位せしめられて係合手段の作用が毀損されてしまって、スコアが破断され或いはスリットが拡張されてしまう傾向があることが判明している。
【０００４】
本発明は上記事実に鑑みてなされたものであり、その主たる技術的課題は、容器の口頸部に対して容器蓋を軸線方向下方に強制して口頸部に装着するための装着工具に改良を加えて、容器蓋を軸線方向下方に強制する際に延出片が半径方向外方に変位するのを確実に防止することである。
【課題を解決するための手段】
【０００５】
本発明者等は、鋭意検討の結果、容器蓋を下方に強制する際に、延出片の外周面を囲繞し延出片が半径方向外側に変位するのを防止する拘束手段を装着工具に付設することによって、上記主たる技術的課題を解決することができることを見出した。
【０００６】
即ち、本発明によれば、上記主たる技術的課題を解決するための装着工具として、中心軸線方向に延在する少なくとも１個のスコア又はスリットが形成されている円筒壁、及び該スコア又はスリットの片側において円筒壁の外周面に接続された片端から該円筒壁の外周面に沿って該スコア又はスリットの他側まで延出する延出片を具備し、該延出片の他端内周面と該円筒壁における該スコア又はスリットの該他側外周面とには、協働して該円筒壁における該スコア又はスリットの他側が該スコア又は該スリットから離隔する方向に変位するのを防止する係合手段が配設されている形態の容器蓋を、容器の口頸部に対して軸線方向下方に強制して該口頸部に装着する装着工具において、
該容器蓋を下方に強制する際に、該延出片の外周面を囲繞して該延出片が半径方向外側に変位するのを防止する拘束手段が配設されている、ことを特徴とする装着工具が提供される。
【０００７】
該容器蓋は円形天面壁、該天面壁の周縁から垂下するスカート壁、及び周方向に間隔をおいて複数個配設され、該スカート壁の外周面乃至該天面壁の上面外周縁に接続された下端から該天面を超えて上方に延びる薄肉反転片を具備し、該円筒壁は該薄肉反転片の上端に接続されており、該口頸部に装着される際には、該薄肉反転片が反転されて該薄肉反転片を間に挟んで該円筒壁が該スカート壁の半径方向外側に位置せしめられ拘束壁として機能する形態である場合、該装着工具は、該天面壁の上面に押圧せしめられて該天面壁を軸線方向下方に強制する内側部材、及び該円筒壁の上端に押圧せしめられて該円筒壁を軸線方向下方に強制する外側部材を含み、該拘束手段は該外側部材から下方に延出する弧状片から構成され、該外側部材が該円筒壁の上端に当接せしめられると該弧状片の内周面が該延出片の外周面を囲繞するのが好適である。
【発明の効果】
【０００８】
本発明の装着工具によれば、延出片が半径方向外方に変位することが拘束手段によって確実に防止され、従って容器の口頸部に容器蓋を装着する際にスコアが破断され或いはスリットが拡張されてしまうことが確実に防止される。
【図面の簡単な説明】
【０００９】
【図１】本発明に従って構成された装着工具が適用される容器蓋の典型例を示す斜面図。
【図２】図１に図示する容器蓋の正面図。
【図３】図１に図示する容器蓋の平面図。
【図４】図１に図示する容器蓋の断面図。
【図５】図１に図示する容器蓋の一対のスリットを示す部分斜面図。
【図６】本発明に従って構成された装着工具の好適実施形態を示す断面図。
【図７】図６に示す装着工具の底面図。
【図８】図６に図示する装着工具と図１に図示する容器蓋との周方向における相対的位置関係を示す、図９−１Ａの線Ａ−Ａに沿った部分断面図。
【図９−１】図１乃至図５に図示する容器蓋を図６及び図７に図示する装着工具を使用して容器の口頸部に装着する様式を説明するための断面図。
【図９−２】図１乃至図５に図示する容器蓋を図６及び図７に図示する装着工具を使用して容器の口頸部に装着する様式を説明するための断面図。
【図１０−１】図１乃至図５に図示する容器蓋を容器の口頸部から離脱する様式を説明するための断面図。
【図１０−２】図１乃至図５に図示する容器蓋を容器の口頸部から離脱する様式を説明するための断面図。
【発明を実施するための形態】
【００１０】
以下、本発明の好適実施形態を図示している添付図面を参照して更に詳細に説明する。
【００１１】
図１乃至図４は、本発明に従って構成された装着工具が適用される打栓式容器蓋の典型例を図示している。ポリエチレン或いはポリプロピレンの如き適宜の合成樹脂から射出又は圧縮成形することができる図示の容器蓋２は、円形天面壁４及び天面壁４の周縁から垂下する略円筒形状のスカート壁６を具備する。天面壁４の内面外周縁部には円筒状シール８が形成され、そしてまたシール８の内側に位置する円筒形状の案内垂下片１０が形成されている。スカート壁６の下部は下方に向かって半径方向外方に傾斜せしめられており、かような下部の内周面には係止突条１２が形成されている。更に、スカート壁６の下部には下端から上方に延びる複数個のスリット１４が周方向に等間隔をおいて配設されている。スリット１４の各々はスカート壁６の傾斜下部の上端まで延びており、係止突条１２はスリット１４が存在する部位を除いて周方向に連続して延在せしめられている。
【００１２】
容器蓋２には、更に、スカート壁６の外周面或いはスカート壁６の外周面上端部に接続された下端から天面壁４を超えて上方に延びる薄肉反転片１６が周方向に間隔をおいて複数個配設されている。上記薄肉反転片１６の上端には拘束壁として機能する円筒壁１８が接続されている。図５を参照することによって明確に理解される如く、円筒壁１８には周方向に間隔をおいて一対のスコア（薄肉弱化部）２０が形成されている。一対のスコア２０の各々は円筒壁１８の上端から下端まで軸線方向に延在せしめられている。一対のスコア２０の各々の下端には、スコア２０が破断される際の破断開始を促進するための切欠２２（図５）が形成されている。一対のスコア２０に代えて一対のスリット（切溝）を形成することもできる。上記薄肉反転片１６の２個の上端は、一対のスコア２０間において円筒壁１８に接続されている。更に、一対のスコア２０間において、円筒壁１８の外周面には突条２４が形成されており、この突条２４には開封リング２６が接続されている。換言すれば、円筒壁１８の外周面は突条２４を介して開封リング２６の内周面に接続されている。突条２４は円筒壁１８の上端から下端まで延在する略矩形状であり、開封リング２６の内周面は突条２４の下端部、従って円筒壁１８の下端部に接続されている。そして、円筒壁１８を囲繞する円形である開封リング２６は、突条２４に接続された部位からその直径方向反対側に向かって上方に傾斜せしめられている。円筒壁１８の外周面と開封リング２６の内周面とは周方向に適宜の間隔をおいて配設された複数個の破断接続片２８によって接続されている。上記突条２４の直径方向反対側の領域においては破断接続片２８が配設されておらず、従って後述するとおりにして容器の口頸部から容器蓋２を離脱せしめる際に、突条２４の直径方向反対側において開封リング２６に充分容易に指を掛けることができる。円筒壁１８の内周面上端部には環状突条３０が形成されている。
【００１３】
一対のスコア２０間において円筒壁１８の外周面に形成されている上記突条２４には、円筒壁１８の外周面に沿って周方向両側に延出する一対の延出片３２が付設されている。そして、一対の延出片３２の各々の延出端部内面には半径方向内方に突出する係合手段３４が形成されている。一方、円筒壁１８の外周面には係合手段３４に対抗して位置して係合手段３４と協働する係合手段３６が形成されている。係合手段３６は円筒壁１８の外周面に形成された凹部から構成されている。係合手段３４と係合手段３６とは協働して、上記一対のスコア２０の周方向外側部が一対のスコア２０から周方向両側に離隔する方向に変位するのを制限する。
【００１４】
図６及び図７には、上記容器蓋２を容器の口頸部（後述する）に装着するのに使用される、本発明に従って構成された装着工具の好適実施形態を図示している。全体を番号３８で示す装着工具は、円柱形状の内側部材４０とこの内側部材４０を囲繞する円筒形状の外側部材４２とを具備している。内側部材４０及び外側部材４２はステンレス鋼の如き適宜の金属から形成することができる。内側部材４０及び外側部材４２は、夫々、適宜の昇降機構（図示していない）によって別個に昇降動せしめられる。外側部材４２には、外側部材４２の外周面下端部に接続された上端部から外側部材４２の下端を超えて下方に延出する弧状片４４が付設されていることが重要である。図示の実施形態においては、弧状片４４における、外側部材４２の下端を超えて下方に延出する主部の周方向中央部４４ａは、周方向両側部４４ｂに比べて内周面が半径方向外方に変位せしめられている。主部の周方向中央部４４ａと周方向両側部４４ｂの外周面は連続して延在せしめられており、従って主部の周方向中央部４４ａの厚さは周方向両側部４４ｂの厚さよりも小さい。主部の周方向中央部４４ａの周方向幅は上記容器蓋２における突条２４の幅に対応せしめられており、周方向両側部４４ｂの各々の周方向幅は上記容器蓋２における延出片３２の各々の周方向長さに対応せしめられている。
【００１５】
次に、図９Ａ乃至図９Ｄを参照して、上記装着工具３８を使用して上記容器蓋２を容器の口頸部４６に装着する様式を説明する。ガラス或いは適宜の合成樹脂から形成することができる容器は全体として円筒形状である口頸部４６を有し、この口頸部４６の外周面上端部には環状係止突条４８が形成されている。この環状係止突条４８の軸線方向中央部には環状凹部５０が形成されている。容器の口頸部４６に容器蓋２を装着する際には、図９Ａに図示する如く、最初に容器蓋２が口頸部４６に被嵌され、装着工具３８の内側部材４０が容器蓋２の天面壁４に対向して位置せしめられ、外側部材４２が容器蓋２の円筒壁１８に対向して位置せしめられる。この際には、図８を参照することによって明確に理解される如く、周方向において外側部材４２に付設されている弧状片４４の主部の周方向中央部４４ａ及び周方向両側部４４ｂは、夫々、容器蓋２の突条２４及び一対の延出片３２に整合せしめられる。そして、外側部材４２が図９Ａに図示する位置まで下降せしめられると、図９Ａと共に図８を参照することによって明確に理解される如く、弧状片４４の主部における周方向中央部４４ａが容器蓋２の突条２４の半径方向外側に位置し、そして弧状片４４の周方向両側部４４ｂが容器蓋２の一対の延出片３２に近接乃至接触してその半径方向外側に位置して一対の延出片３２を囲繞する。次いで、図９Ａと図９Ｂとを比較参照することによって明確に理解される如く、内側部材４０が下降されて容器蓋２が下方に強制され、シール８が口頸部４６の外周面上端部に密接せしめられて口頸部４６が密封される。容器蓋２が下降される際には、案内垂下片１０が口頸部４６内に進入することによって口頸部４６に対して容器蓋２が同心状に位置せしめられる。案内垂下片１０の軸線方向中間部は口頸部４６の内周面に接触せしめられるが、図示の実施形態においては口頸部４６の密封は主としてシール８によって確立される。スカート壁６はその下部が幾分半径方向外方に拡張され、内周面下部に形成されている係止突条８は口頸部４６の係止突条４８の下方に位置する。
【００１６】
しかる後に、図９Ｂと共に図９Ｃ及び図９Ｄを参照することによって理解される如く、外側部材４２が下降されて円筒壁１８が漸次下降せしめられる。この際には、薄肉反転片１６は、スカート壁６と円筒壁１８との間で上方に延出する状態から下方に延出する状態に漸次反転せしめられる。そして、図９Ｄに図示するとおり、薄肉反転片１６が完全に反転されると、円筒壁１８はその全体がスカート壁６を囲繞する位置まで下降され、半径方向外方に拡張された状態であったスカート壁６の下部は半径方向内方に強制的に変位され、スカート壁６の内周面下部に形成されている係止突条１２が口頸部４６の係止突条４８に係止せしめられる。円筒壁１８が下降せしめられる際には延出片３２を半径方向外方に変位せんとする力が作用する傾向があるが、外側部材４２に付設された弧状片４４の主部における周方向両側部４４ｂが延出片３２を囲繞している故に、延出片３２が半径方向外方に変位せしめられることはない。円筒壁１８が下降される際には、円筒壁１８には半径方向外方に拡張せしめんとする力が作用するが、半径方向外方に変位することが確実に防止されている延出片３２に形成されている係合手段３４と円筒壁１８に形成されている係合手段３６とが協働して、一対のスコア２０の周方向外側部が一対のスコア２０から周方向両側に離隔する方向に変位するのを制限し、それ故に一対のスコア２０が破断させてしまうことが回避される（図１、図３及び図５を参照されたい）。
【００１７】
容器の口頸部４６から容器蓋２を離脱せしめて口頸部４６を開封する際には、図１０Ａ及び図１０Ｂに図示する如く、突条２４の直径方向反対側において開封リング２６に指を掛けて、突条２４に接続されている部位を旋回起点として開封リング２６を上方に旋回せしめる。この際には、破断接続片２８が破断され、これによって容器蓋２に開封操作が加えられたことが明示される。開封リング２０を更に上方に旋回せしめると、図１０Ｃに図示す如く、円筒壁１８に形成されている一対のスコア２０が破断され、一対のスコア２０間に位置する薄肉反転片１６が天面壁４を超えて上方に延出する状態に再反転せしめられ、円筒壁１８の一対のスコア２０間に位置する部分と共に開封リング２６が上方に変位せしめられる。図１０Ｃに図示する状態になると、円筒壁１８によるスカート壁６の拘束が局部的に解除され、スカート壁６の下部の少なくとも一部は充分容易に半径方向外方に弾性的に変位せしめられ、従って充分容易に容器蓋２の全体を容器の口頸部４６から離脱して口頸部４６を開封することができる。
【符号の説明】
【００１８】
２：容器蓋
４：天面壁
６：スカート壁
８：シール
１４：スリット
１６：薄肉反転片
１８：円筒壁
２０：スコア
２２：切欠
２４：突条
２６：開封リング
３２：延出片
３４：係合手段
３６：係合手段
３８：装着工具
４０：外側部材
４２：内側部材
４４：弧状片
４６：容器の口頸部
【図１】
2015224055.tif 000003
【図２】
2015224055.tif 000004
【図３】
2015224055.tif 000005
【図４】
2015224055.tif 000006
【図５】
2015224055.tif 000007
【図６】
2015224055.tif 000008
【図７】
2015224055.tif 000009
【図８】
2015224055.tif 000010
【図９−１】
2015224055.tif 000011
【図９−２】
2015224055.tif 000012
【図１０−１】
2015224055.tif 000013
【図１０−２】
2015224055.tif 000014